(57)【要約】【課題】プロの写真家等が撮像した画像とその画像の撮影条件とを受信して、その画像と同様な持ち味を有する撮影を再現することが可能な電子カメラを提供する。【解決手段】画像とその画像を撮像した際の撮影条件を受信する受信手段（送受信手段１５７）と、受信した画像と撮影条件とを記録する記録手段（不揮発性メモリ１８２等）と、受信した画像を表示する表示手段１６８と、受信した撮影条件に基づいて撮像を実施する撮像手段１５０とを備えた。【選択図】　　　　図１
2004120277.tif 000002
【特許請求の範囲】
【請求項１】
他の通信機器から撮影条件を受信して、その撮影条件に基づいて撮像を実施する電子カメラであって、
画像とその画像を撮像した際の撮影条件を受信する受信手段と、
前記受信した画像と撮影条件とを記録する記録手段と、
前記受信した画像を表示する表示手段と、
前記受信した撮影条件に基づいて撮像を実施する撮像手段と、
を備えたことを特徴とする電子カメラ。
【請求項２】
前記撮影条件は、絞りの開度、シャッター速度、画角、ズーム位置、マクロ撮影情報、ホワイトバランス、ガンマ補正量、ＥＶ補正量、明るさ補正量、彩度の補正量、補助光の発光量、補助光の発光タイミング、フォーカス補正量、ソフトフォーカス補正量、撮影ＥＶ値、又は撮影条件プログラムのシフト量のうちの少なくともいずれか１つを含む撮影条件であることを特徴とする請求項１の電子カメラ。
【請求項３】
前記受信した撮影条件の数値から所定の範囲内に存在する新たな撮影条件の数値を設定する撮影条件設定手段を備え、
前記撮像手段は、前記新たに設定した撮影条件の数値に基づいて撮像を実施することを特徴とする請求項２に記載の電子カメラ。
【発明の詳細な説明】
【０００１】
【発明の属する技術分野】
本発明は、電子カメラに係り、特に他の通信機器から撮影条件を受信して、その撮影条件に基づいて撮像を実施する電子カメラに関する。
【０００２】
【従来の技術】
従来の撮像装置では、撮影条件に応じて任意に選択可能な複数の撮影モードを備え、該複数の撮影モードから任意の撮影モードを選択するモード選択手段と、複数の撮影モードに対応して複数個設けられ、撮像系を制御するための複数のパラメータの制御特性をそれぞれ定義して格納したデータテーブルと、選択手段によって選択された撮影モードに対応するデータテーブルより読み出したパラメータの特性に基づいて前記撮像系を制御する制御手段とを備え、前記制御手段は、前記選択手段によって選択された特性の撮影モードにおいて、前記複数のデータテーブルを撮影条件に応じて切り換え可能に構成されている。そして当該撮像装置では、撮影環境、撮影状況によらず常に最適露出制御の可能なビデオカメラの自動露出制御装置を提供することを目的としている（例えば、特許文献１参照）。
【０００３】
また、従来の撮影モード自動選択装置を備えたカメラでは、撮影条件に基づいて、複数の撮影モードの中から適切な撮影モードを自動選択する撮影モード自動選択する撮影モード自動選択手段；および、複数の撮影モードの中から任意の撮影モードをマニュアル操作を受けて選択する撮影モードマニュアル選択手段；を備え、撮影モードマニュアル選択手段によって撮影モードマニュアル選択されたときは、前記撮影モード自動選択手段による撮影モード自動選択が禁止されることを特徴としている。そして、撮影条件に応じた最適な撮影モードを自動選択可能とする一方、撮影者が欲する撮影モードのマニュアル選択も簡単にできるカメラを提供することを目的としている（例えば、特許文献２参照）。
【０００４】
また、従来の電子カメラでは、設定された撮影条件を示す第１の情報と、前記撮影条件が適正でない場合にその旨を示す第２の情報とを表示する表示手段と、前記第２の情報に従って前記撮影条件を変更する変更手段とを備えたことを特徴としている。そして当該電子カメラでは、マニュアルモードにおいて、適正な露光条件を容易に設定することを可能としている（例えば、特許文献３参照）。
【０００５】
【特許文献１】
特開平０５−５６３３４号公報（第１−２頁、第１図）
【０００６】
【特許文献２】
特開平１０−１６１１７４号公報（第１−３頁、第７図）
【０００７】
【特許文献３】
特開２００１−１３６４３５号公報（第１−２頁、第１図）
【０００８】
【発明が解決しようとする課題】
しかしながら、従来のビデオカメラでは、撮影状況に応じて任意に選択可能なプログラム撮影モードを備え、それぞれに応じたデータテーブルを持ち、プログラム撮影モードに応じて切り換えることを特徴としているが、プロの写真家がその撮影技術を駆使して撮影した独特な味のある画像と同様な撮影を、一般の利用者が実施したいと思っても、また例えプロと同じカメラを用いて撮像しても、なかなかプロの写真家が撮像したような雰囲気を有する撮影を実施することができないという不具合を生じていた。
【０００９】
また、従来の撮影モード自動選択装置を備えたカメラでは、撮影モードを自動選択後、操作することによりマニュアル設定が可能となっているが、やはりプロの写真家がその撮影技術を駆使して撮影した独特な味のある画像と同様な撮影を容易に実施することができないという不具合を生じていた。
【００１０】
また、従来の電子カメラでは、ユーザが望む撮影条件で撮影するマニュアル撮影モードで、適正でない撮影条件の時にはその旨の情報を表示、キー操作により適正な撮影条件に変更することが可能となっているものの、やはりプロの写真家が撮影した画像と同様な撮影を容易に実施することができないという不具合を生じていた。
【００１１】
本発明は、このような事情に鑑みてなされたもので、プロの写真家等が撮像した画像とその画像の撮影条件とを受信して、その画像と同様な持ち味を有する撮影を再現することが可能な電子カメラを提供することを目的としている。
【００１２】
【課題を解決するための手段】
本発明は前記目的を達成するために、他の通信機器から撮影条件を受信してその撮影条件に基づいて撮像を実施する電子カメラであって、画像とその画像を撮像した際に用いた撮影条件を受信する受信手段と、前記受信した画像と撮影条件とを記録する記録手段と、前記受信した画像を表示する表示手段と、前記受信した撮影条件に基づいて撮像を実施する撮像手段とを備えたことを特徴としている。
【００１３】
本発明によれば電子カメラは、他の通信機器から画像とその画像の撮影条件を受信して、その撮影条件に基づいて新たな撮影を実施するようにしたので、受信した画像と同様な持ち味を有する撮影を再現することが可能となる。
【００１４】
また、本発明は前記目的を達成するために、電子カメラが設定可能な撮影条件として、絞りの開度、シャッター速度、画角、ズーム位置、マクロ撮影情報、ホワイトバランス、ガンマ補正量、ＥＶ補正量、明るさ補正量、彩度の補正量、補助光の発光量、補助光の発光タイミング、フォーカス補正量、ソフトフォーカス補正量、撮影ＥＶ値、又は撮影条件プログラムのシフト量のうちの少なくともいずれか１つを含むようにしたことを特徴としている。
【００１５】
本発明によれば、多種の撮影条件に基づいて撮影を実施するようにしたので、受信した画像の持ち味を忠実に再現する撮影を実施することが可能となる。
【００１６】
また、本発明は前記目的を達成するために、電子カメラが受信した撮影条件の数値から所定の範囲内に存在する新たな撮影条件の数値を設定する撮影条件設定手段を備え、電子カメラの撮像手段は撮影条件設定手段が新たに設定した撮影条件の数値に基づいて撮像を実施することを特徴としている。
【００１７】
本発明によれば、電子カメラが受信した撮影条件の数値から所定の範囲内に存在する新たな撮影条件の数値を設定し、その新たに設定した撮影条件の数値に基づいて撮像を実施するようにしたので、全く同一の撮影条件で撮影を実施することができない環境下であっても、受信した画像と同様な持ち味を有する撮影を自動で再現することが可能となる。
【００１８】
【発明の実施の形態】
以下添付図面に従って、本発明に係る電子カメラの好ましい実施の形態について詳説する。
【００１９】
図１は、本発明に係る電子カメラとサーバと通信端末とを含む撮影条件提供システムの構成を示す図である。
【００２０】
写真家やアーティスト、観光地等の情報提供者はパソコン８０（通信端末）を所有しており、インターネット等の通信網１２を介してサーバ９０と情報の送受信を実施することが可能となっている。
【００２１】
写真家やアーティストは、パソコン８０を操作して人物や風景、建物、物品等の撮影に適した撮影条件、画像を入力して、通信網１２を介してサーバ９０に登録することが可能となっている。また、当該撮影条件に関する情報を提供したことによる対価を、通信網１２を介したオンライン上で、金融機関を仲介してサーバ９０の管理者から受け取ることが可能となっている。また、写真家としての知名度を上げるための対価として、写真集の掲載料を金融機関を仲介してサーバ９０の管理者に支払うようにしてもよい。また、写真家やアーティストは、電子カメラ１０にて撮像した画像とその画像の撮影条件とを、パソコン８０Ａや携帯電話４０を介してサーバ９０に登録することも可能となっている。
【００２２】
観光地の管理者は、パソコン８０を操作して、当該観光地の撮影スポットの紹介や、その撮影スポットに於ける撮影に適した日時、電子カメラ１０での撮影条件等の情報を入力して、通信網１２を介してサーバ９０に登録することが可能となっている。また、当該観光地に関する宣伝情報をインターネット等の通信網１２を介して公開してもらうための対価を、通信網１２を介したオンライン上で、金融機関を仲介してサーバ９０の管理者に支払うようにしてもよいし、当該撮影条件に関する情報を提供したことによる対価を、通信網１２を介したオンライン上で、金融機関を仲介してサーバ９０の管理者から受け取るようにしてもよい。
【００２３】
一方の情報取得者である利用者は、電子カメラ１０と携帯電話４０又はパソコン８０Ａ等の通信端末を所有しており、情報取得者は携帯電話４０又はパソコン８０Ａ等の通信端末を操作してインターネット等の通信網１２を介してサーバ９０と情報の送受信を実施することが可能となっている。そして、サーバ９０から取得した撮影条件等の情報は、有線又は無線の通信手段を介して電子カメラ１０に伝送することが可能となっている。
【００２４】
電子カメラ１０では、サーバ９０から取得した撮影条件に基づいて、撮像を実施することが可能となっている。したがって利用者は、写真家や観光地側が推奨する撮影条件で撮影することが可能となるので、数多くの撮像を経験した写真家や観光地の管理者が有する知識や技能を生かした失敗の少ない撮像や、独特の雰囲気を有する撮像を実施することが可能となる。
【００２５】
サーバ９０は、写真家やアーティスト側のパソコン８０から、人物や風景、建物、物品等の撮影に適した撮影条件をインターネット等の通信網１２を介して受信して、データベースとして記録手段に記録することが可能となっている。また、当該撮影条件に関する情報を提供してもらったことによる対価を、通信網１２を介したオンライン上で、金融機関を仲介して写真家やアーティスト側に支払うことが可能となっている。
【００２６】
またサーバ９０は、観光地の管理者側のパソコン８０から、観光地の撮影スポットの紹介や、その撮影スポットに於ける撮影に適した日時、電子カメラ１０での撮影条件等の情報をインターネット等の通信網１２を介して受信して、データベースとして記録手段に記録することが可能となっている。また、当該観光地に関する宣伝情報をインターネット等の通信網１２を介して一般の利用者に公開するための対価を、通信網１２を介したオンライン上で、金融機関を仲介して観光地等の管理者側から受け取るようにしてもよい。また、撮影条件に関する情報を提供してもらったことによる対価を、通信網１２を介したオンライン上で、金融機関を仲介してサーバ９０の管理者から受け取るようにしてもよい。
【００２７】
またサーバ９０は、電子カメラ１０又は携帯電話４０、利用者側のパソコン８０Ａ等の通信端末に対して、インターネット等の通信網１２を介して、データベース等の記録手段に記録されている人物や風景、建物、物品等の撮影に適した撮影条件や、観光地の撮影スポットの紹介、その撮影スポットに於ける撮影に適した日時等の情報を送信することが可能となっている。
【００２８】
また、サーバ９０は、情報取得者（利用者）に対して、情報提供者の宣伝、広告を明示するだけでなく、撮影条件を公開、選択できるようにし、その情報を選択、取得した場合にはその情報提供の利用代金を受領するようにしてもよい。
【００２９】
利用料金の徴収方法としては、最初のサーバアクセス時や登録時に、クレジットカード番号などの自動引き下ろしが可能な情報を登録してもらうことでも実現可能である。また、撮影条件等の情報を提供してもらったことによる対価を、通信網１２を介したオンライン上で、金融機関を仲介してサーバ９０の管理者に支払うようにしてもよい。
【００３０】
図２に、本発明に係る電子カメラの正面図を示す。
【００３１】
同図に示すように、電子カメラ１０には、被写体像を撮像手段に結像させる撮像レンズ１０２と、撮像時に利用者が被写体像を確認するファインダ１０３と、利用者が撮像及び音声の記録を指示するレリーズボタン１０６と、被写体に光を発光して明るさを補う発光手段１９３とが設けられている。例えばレリーズボタン１０６は、撮影時に半押しすることでＡＥ／ＡＦをロックするようにしてもよい。なお、電子カメラ１０は、デジタルカメラであってもよいし、銀塩カメラであってもよい。
【００３２】
図３に、本発明に係る電子カメラの背面図を示す。
【００３３】
同図に示すように電子カメラ１０の背面には、電子カメラ１０の機能の起動及び停止を指示する電源スイッチ１０５と、電子カメラ１０に備えられている各種のモードを切り替えて設定するモード切替ダイヤル１０７と、電子カメラ１０において画像の撮像及び音声の記録を実施する撮像モードと撮像した画像及び記録した音声の再生を実施する再生モードとを切り換えるモード切替スイッチ１０８とが設けられている。
【００３４】
また、電子カメラ１０には、表示手段１６８に表示されている項目やカメラの状態から所望の項目をキャンセルする際等に指定するキャンセルボタン１０９と、表示手段１６８に表示されている項目から所望の項目を指定する際等に指定するＯＫボタン１１０と、小型表示手段に表示されているボタン表示に基づいた機能をソフトウェアにて自在に割りつけることが可能な十字ボタン１１３とが設けられている。
【００３５】
また、電子カメラ１０には、無線通信によって外部の通信機器と送受信する場合に搬送波及びデータを送受信するアンテナ１５６が設けられている。また、図３には図示しないが、携帯電話４０やパソコン８０Ａ等の通信機器と有線の通信を行う際の通信ポートとなる通信コネクタと、表示用の画像信号を外部の機器に出力する出力ポートである画像信号コネクタと、画像及び音声等の情報を記録する挿抜可能な記録媒体とが設けられている。
【００３６】
図４は、本発明に係る電子カメラの構成を示すブロック図である。
【００３７】
同図に示すように、レンズ鏡胴１００（交換式レンズ）には、レンズ鏡胴１００をレンズ交換式の電子カメラ１０のレンズマウント１５１に対して装着するためのマウント１０１が設けられており、レンズ鏡胴１００を電子カメラ１０に対して着脱自在に装着することが可能となっている。
【００３８】
レンズ鏡胴１００の内部には、被写体像を電子カメラ１０の撮像手段１５０の撮像面に合焦させる調節を行うことが可能なフォーカスレンズユニット１３０と、撮像面に結像する画像の画角を調節することが可能なズームレンズユニット１３１と、被写体像の明るさを調節することが可能な絞り１３３と、被写体の光を通過させたり遮光したりするシャッタ１３４と、電子カメラ１０の撮像手段に結像する被写体像をＸ−Ｙの２次元方向に移動させることによって撮像時における被写体像のぶれを減少させるための制御を行う画像安定化装置１３５とが設けられている。
【００３９】
フォーカスレンズユニット１３０には、電子カメラ１０からの指令や利用者からの指令に基づいて合焦位置の調節をする際に動力を提供するモータ１３６Ａと、フォーカスレンズユニット１３０の合焦位置又は当該フォーカスレンズユニット１３０の設定位置を検出するエンコーダ１３７Ａと、前記エンコーダ１３７Ａの検出値を積算又は演算するとともに、前記モータ１３６Ａを駆動するドライバ１３８Ａとが接続されている。
【００４０】
ズームレンズユニット１３１には、電子カメラ１０からの指令や利用者からの指令に基づいて画角の調節をする際に動力を提供するモータ１３６Ｂと、ズームレンズユニット１３１のズーム位置又は当該ズームレンズユニット１３１の設定位置を検出するエンコーダ１３７Ｂと、前記エンコーダ１３７Ｂの検出値を積算又は演算するとともに、前記モータ１３６Ｂを駆動するドライバ１３８Ｂとが接続されている。
【００４１】
絞り１３３には、電子カメラ１０からの指令や利用者からの指令に基づいて被写体像の明るさを調節をする際に動力を提供するモータ１３６Ｄと、絞り１３３の絞り位置又は当該絞り１３３の設定位置を検出するエンコーダ１３７Ｄと、前記エンコーダ１３７Ｄの検出値を積算又は演算するとともに、前記モータ１３６Ｄを駆動するドライバ１３８Ｄとが接続されている。
【００４２】
シャッタ１３４には、電子カメラ１０からの指令や利用者からの指令に基づいてシャッタ閉の状態とシャッタ開の状態とをつくりだす際に動力を提供するモータ１３６Ｅと、シャッタ１３４のシャッタ幕の位置を検出するエンコーダ１３７Ｅと、前記エンコーダ１３７Ｅの検出値を積算又は演算するとともに、前記モータ１３６Ｅを駆動するドライバ１３８Ｅとが接続されている。
【００４３】
画像安定化装置１３５には、電子カメラ１０若しくはレンズ鏡胴１００に設けられている直交２軸方向のレートセンサ（図示せず）の出力等に基づいて、被写体像をＸ−Ｙの２軸方向に移動させるために、被写体像の光軸を傾ける光軸傾斜手段が設けられている。この光軸傾斜手段に対して光軸を２次元方向に傾斜させるための動力を提供するモータ１３６Ｆと、画像安定化装置１３５による光軸の傾斜角度を検出するエンコーダ１３７Ｆとが設けられている。
【００４４】
前記画像安定化装置１３５には、前記エンコーダ１３７Ｆの検出値を積算又は演算するとともに、前記モータ１３６Ｆを駆動するドライバ１３８Ｆが接続されている。
【００４５】
またレンズ鏡胴１００には、前記ドライバ１３８Ａ、１３８Ｂ、１３８Ｄ、１３８Ｅ、１３８Ｆ等の各種ドライバからエンコーダ１３７Ａ、１３７Ｂ、１３７Ｄ、１３７Ｅ、１３７Ｆの設定位置等の情報を取得するとともに、前記各種ドライバに対してモータ１３６Ａ、１３６Ｂ、１３６Ｄ、１３６Ｅ、１３６Ｆ等を駆動する指令を出力する情報処理手段１４０が設けられている。
【００４６】
記録手段１４１には、当該レンズ鏡胴１００が有する、ズーム、フォーカス、絞り、シャッタ、画像安定化装置その他の機能を電子カメラ１０側にて有効に機能させる駆動制御の処理に関するファームウェアと、その駆動制御に関する数値情報（設定パラメータ）とが記録されている。
【００４７】
また、記録手段１４１に記録されているファームウェアには、レンズ鏡胴１００特有の機能に基づいた絞り優先モードの処理、シャッター速度優先モードの処理、自動露出モードの処理、マニュアル露出モードの処理、ズーム処理、マクロ撮影処理、及びフォーカス、絞り、シャッター、その他の駆動に関して微小な位置決めを可能にするとともに動作音を減少させるマイクロステップを実現させるための処理情報が記録されていてもよい。
【００４８】
情報処理手段１４０は、マウント１０１に設けられている電気接点を介して電子カメラ１０側と情報の送受信を行うことが可能となっている。また情報処理手段１４０は、当該レンズ鏡胴１００に設けられているレンズ鏡胴特有の機能を電子カメラ１０で利用する際に必要となる前記ファームウェア及びその制御に関する数値情報を前記記録手段１４１から読み出して、電子カメラ１０側に出力することが可能となっている。
【００４９】
情報処理手段１４０が電子カメラ１０側と情報の送受信を行う手段は、前述のようにマウント１０１に設けられている電気接点を介して情報の送受信を行ってもよいし、電気接点を用いずに無線による情報の送受信を行うようにしても本発明の目的を達成することが可能である。
【００５０】
また、電子カメラ１０側から当該レンズ鏡胴１００特有の機能を実現する際の制御信号を受信する代わりに、電子カメラ１０側にモータやドライバの機能を設けておき、機械的にフォーカスレンズ１３０やズームレンズ１３１等の制御動力を電子カメラ１０側から伝動するカプラー、その他の伝動手段を設けてもよい。
【００５１】
電子カメラ１０の画像処理部には、被写体の像を撮像面に結像させて光電変換し、画像信号として出力する撮像手段１５０と、撮像手段１５０に結像する光を通過させたり遮光したりして光量を調節するとともに、レンズ鏡胴１００を取り外した際に撮像手段１５０を保護するシャッタ１５２と、画像サイズの変更、シャープネス補正、輪郭処理、コントラスト補正等の処理を行う画像処理手段１５３と、アナログの画像信号をデジタルの画像データに変換するＡ／Ｄ変換器１５４とが設けられている。
【００５２】
また、画像ファイル等の情報を通信によって他の通信機器と送受信する電子カメラ１０の通信手段は、画像ファイル等の情報を電波等の搬送波に乗せて送信又は受信する近距離用の送受信手段１５７（受信手段の機能等を含む）と、搬送波及び画像ファイル等を送受信するアンテナ１５６と、画像ファイル等の情報を通信ケーブルを介して他の通信機器と送受信する通信コネクタ１６２と、電子カメラ１０を装着するクレードルを介して他の通信機器と情報の送受信を行うクレードルコネクタ１６３とから構成されている。なお、通信コネクタ１６２は、ＵＳＢ（Ｕｎｉｖｅｒｓａｌ　Ｓｅｒｉａｌ　Ｂｕｓ）の通信規格に基づいたコネクタを用いるものでであってもよい。
【００５３】
また、電子カメラ１０には、画像データ等の情報をＪＰＥＧやモーションＪＰＥＧに代表される手法で圧縮処理又は間引き処理を施したり圧縮した画像データ等を伸張展開処理する圧縮伸張手段１６７と、表示手段１６８に表示する各種の文字やメッセージのデータ等を撮像画像や再生画像とともにオンスクリーンディスプレイするＯＳＤ１６９と、撮像して得た画像データに対してホワイトバランス処理を実施したり、ガンマ変換、ＹＣ変換処理、画素数の変換処理、電子ズーム処理、トリミング処理、ＥＶ補正処理、明るさの補正処理、彩度の補正処理等を実施する信号処理手段１７０と、表示用の画像データを一時的に記憶しておくフレームメモリ１７１と、デジタルの画像データを表示用のコンポジット信号等に変換するＤ／Ａ変換器１７２と、各部の表示用機器に表示用の信号を出力するコネクタ１７３とが設けられている。
【００５４】
また、電子カメラ１０には、電源スイッチ１０５やレリーズボタン１０６、通信ボタン、送信ボタン、ファンクションスイッチ、十字ボタン１１３、ＯＫボタン１１０、モード切換スイッチ１０８等から構成されている入力手段１７４と、入力手段１７４による入力情報及びＬＥＤ等の表示手段用の情報を入出力するインターフェースであるＩ／Ｏ１７５と、記録媒体１７７（記録手段の機能を含んでいてもよい）を着脱可能に装着する記録媒体装着部１７８と、記録媒体１７７に対して画像データ等の情報を記録したり読み出したりする記録媒体インターフェース１７９とが設けられている。なお、記録媒体１７７は、メモリーカード等の半導体や、ＭＯ等に代表される磁気記録式、光記録式等に代表される着脱可能な記録媒体である。
【００５５】
また、電子カメラ１０には、電子カメラ１０全体の制御を行うとともに画像データのサンプリングタイミング制御、画像データの記録制御、画像データの図形認識、通信制御、画像及び音声の記録に関する制御、表示制御、撮影条件の設定等の制御を行う情報処理手段１８０（撮影条件設定手段）と、情報の書き換えが可能であるとともに記憶した調整用の各種定数、ファームウェア、数値情報、画像、撮影条件等の情報を電源遮断後も記憶し続けることが可能な不揮発性メモリ１８２（記録手段）と、電子カメラ１０の動作プログラム、各定数、表示に関する情報、撮像レンズ１０２に起因する画像の補正値等が記憶されているＲＯＭ１８３と、プログラム実行時の作業領域となる高速読み書き可能な記憶手段であるＲＡＭ１８４とが設けられている。
【００５６】
また、電子カメラ１０のレンズマウント１５１には、電気接点が１乃至複数設けられており、レンズ鏡胴１００装着時にレンズ鏡胴１００のマウント１０１に設けられている電気接点と接触導通するように構成されている。このようにして、レンズ鏡胴１００の情報処理手段１４０と、電子カメラ１０の情報処理手段１８０とが電子カメラ１０に設けられているレンズインターフェース１８５を介して情報の送受信を行うことが可能となっている。また、前記電気接点を介して、電子カメラ１０側からレンズ鏡胴１００側に、動作電力を供給することが可能となっている。
【００５７】
なお、レンズインターフェース１８５にはレンズ鏡胴１００が装着されているか否かを検出するスイッチ１８５Ａ（検出手段）が接続されており、情報処理手段１８０はレンズインターフェース１８５を介して、レンズ鏡胴１００が電子カメラ１０に装着されているか否かを検出することが可能となっている。
【００５８】
なお、レンズインターフェース１８５がレンズ鏡胴１００側と情報の送受信を行う手段は、前述のようにマウント１５１に設けられている電気接点を介して情報の送受信を行ってもよいし、電気接点を用いずに無線による送受信手段（送受信手段１５７等）を用いて行うようにしても本発明の目的を達成することが可能である。
【００５９】
また、電子カメラ１０からレンズ鏡胴１００側に対して特有の機能を実現する制御信号を送信する代わりに、電子カメラ１０側にモータやドライバの機能を設けておき、レンズ鏡胴１００のフォーカスレンズ１３０やズームレンズ１３１等に対して機械的に制御動力を伝動するカプラー、その他の伝達手段を設けてもよい。
【００６０】
また、レンズ鏡胴１００の情報処理手段１４０から受信するファームウェアには、レンズ鏡胴１００特有の機能に基づいた絞り優先モードの処理、シャッター速度優先モードの処理、自動露出モードの処理、マニュアル露出モードの処理、ズーム処理、マクロ撮影処理、及びフォーカス、絞り、シャッター、その他の駆動に関して微小な位置決めを可能にするとともに動作音を減少させるマイクロステップを実現させるための処理情報が含まれていてもよい。
【００６１】
また、レンズ鏡胴１００の情報処理手段１４０から受信する情報には、レンズ鏡胴１００に設けられている各種レンズに起因する倍率色収差、歪曲収差又はシェーディング等の画像の補正値に関する情報その他が含まれていてもよい。
【００６２】
また、電子カメラ１０には、時を刻むカレンダ時計１９０と、電子カメラ１０を駆動するための各種電力を供給する電源１９１と、外部の電源から電力の供給を受ける電源コネクタ１９２と、撮像時に被写体に光を発光して光量不足を補う発光手段１９３と、該発光手段１９３の発光タイミングや発光する光量の調節を行う発光制御手段１９４とが設けられている。
【００６３】
電子カメラ１０の情報処理手段１８０と画像処理手段１５３、Ａ／Ｄ変換器１５４、送受信手段１５７、圧縮伸長手段１６７、Ｉ／Ｏ１７５、ＯＳＤ１６９、信号処理手段１７０、記録媒体インターフェース１７９、不揮発性メモリ１８２、ＲＯＭ１８３、ＲＡＭ１８４、カレンダ時計１９０、レンズインターフェース１８５その他の各回路はバス１９９で接続されており、互いに情報の伝達を高速で行うことが可能となっているとともに、情報処理手段１８０が実行する処理プログラムに基づいて各回路を制御することが可能となっている。
【００６４】
前記送受信手段１５７（受信手段）は、パソコン８０Ａ又はサーバ９０等の通信機器から、画像とその画像を撮像した際の撮像する際に用いた撮影条件を受信することが可能となっている。また、送受信手段１５７（受信手段）は、パソコン８０Ａ又はサーバ９０等の通信機器に対して、画像とその画像を撮像した際の撮像する際に用いた撮影条件を送信することも可能となっている。
【００６５】
前記不揮発性メモリ１８２やＲＡＭ１８４、又は記録媒体１７７等の記録手段には、送受信手段１５７が他の通信機器から受信した画像と撮影条件とを記録することが可能となっている。
【００６６】
表示手段１６８には、前記他の通信機器から受信した画像を表示して、利用者が閲覧することが可能となっている。
【００６７】
また、撮像手段１５０は、前記他の通信機器から画像とともに受信した撮影条件に基づいて、撮像を実施することが可能となっている。なお、撮像手段１５０が撮像を実施する際には、受信した撮影条件に基づいた制御指令を、合焦位置の調節をするドライバ１３８Ａ、画角やマクロ撮影その他の調節をするドライバ１３８Ｂ、絞り１３３の絞り位置又は当該絞り１３３の設定位置を調節するドライバ１３８Ｄ、シャッタ閉の状態とシャッタ開の状態を制御するドライバ１３８Ｅ、画像安定化装置１３５を制御するドライバ１３８Ｆ、補助光の発光量や補助光の発光タイミングを制御する発光制御手段１９４、又は、ホワイトバランス、ガンマ変換、ＹＣ変換処理、画素数の変換処理、電子ズーム処理、トリミング処理、ＥＶ補正処理、明るさの補正処理、彩度の補正処理、プログラムシフト処理等を実施する信号処理手段１７０に出力する。これらの制御指令によって、所定の撮影条件にて撮像を実施することが可能となる。
【００６８】
また、情報処理手段１８０（撮影条件設定手段）は、他の通信機器から受信した撮影条件の数値にてそのまま撮像しても所定の画像が得られないという判断をした場合には、撮影条件の数値を所定の範囲内で変更して、受信した撮影条件の数値と近似する新たな撮影条件の数値を設定することが可能となっている。そして撮像手段１５０は、前記新たに設定した撮影条件の数値に基づいて撮像を実施することが可能となっている。
【００６９】
図５は本発明に係る電子カメラの信号処理系ブロック図の他の実施の形態を示す図である。
【００７０】
同図に示す電子カメラは、システム制御を行うＣＰＵ、画像データ処理を行うＤＳＰ、レンズ、受光素子であるＣＣＤ、ＣＣＤ及び撮影時のタイミング制御を行うＴＧ、ストロボ発光部分、利用者へ画像を表示するＬＣＤ及びビデオアウト、音声再生を行うオーディオブロック、利用者が操作することによって情報を入力するスイッチブロック、記録メディアとのインターフェース、プログラムやデータを記憶しているフラッシュＲＯＭ、プログラム実行、画像処理時のメモリとしてのＳＤＲＡＭ、によって構成されている。
【００７１】
前記記録メディアとしては、スマートメディア、コンパクトフラッシュ、メモリスティック、等が考えられるが、同図に示す例ではスマートメディアを用いている。この記憶メディアに撮像した画像を記録し、またメディアに記録された画像を再生することが可能となっている。また同図に示す電子カメラでは、外部通信接続用にＵＳＢ端子を備えている。
【００７２】
図６に、情報提供者が写真家である場合のイベントトレース図を示す。
【００７３】
まずステップＳ１００「情報提供者登録」（以降Ｓ１００のように省略して記載する）にて情報提供者である写真家は、パソコン８０の入力手段（キーボードやマウス等の入力手段）を操作してインターネット等の通信網１２を介してサーバ９０へアクセスする。Ｓ１００にて写真家が、サーバ９０に対して情報提供者としての登録する情報を送信する旨の指示を入力すると、その情報はパソコン８０から通信網１２を介してサーバ９０に送信される。
【００７４】
サーバ９０では、写真家側のパソコン８０から送信された情報提供者登録情報をインターネット等の通信網１２を介して取得し、写真家を情報提供者として登録する処理を行う。そして情報提供者として登録が終了したことを示す登録者ＩＤを、通信網１２を介して写真家のパソコン８０に送信する処理を行う。
【００７５】
次のＳ１０２「登録者ＩＤ取得」では、写真家のパソコン８０が通信網１２を介してサーバ９０から登録者ＩＤを取得する。次に写真家は、パソコン８０の入力手段を操作して、自己の写真集とその写真の撮影条件や、自己の写真家としての宣伝情報等を入力する作業を行って、入力した情報をサーバ９０に送信する指示を入力する。するとＳ１０４「写真集、写真展宣伝、撮影条件登録」にてパソコン８０は、写真家が入力した写真集、写真展宣伝、撮影条件等の情報をサーバ９０に送信する処理を行う。
【００７６】
またＳ１０４にて、写真家自身の写真集や宣伝情報を通信網１２上で公開してもらうための登録料を支払う旨の情報を、サーバ９０に対して送信するようにしてもよい。また、写真家やアーティスト等の情報提供者が、これだけはＷｅｂ上に掲載してもらいたいという撮影条件がある場合には、割り増し料金の登録料で掲載するようにしてもよい。
【００７７】
写真家のパソコン８０から前記写真集、写真展宣伝、撮影条件等の情報を受信したサーバ９０は、受信した情報をハードディスク等の記録手段にデータベースとして記録する処理を行う。
【００７８】
一方、情報取得者（利用者）も、Ｓ１０６「ユーザ登録」にて、携帯電話４０（パソコン８０Ａや電子カメラ１０を用いても本発明の目的を達成することが可能である）の入力手段（テンキーや十字ボタン、ジョグダイヤル等の入力手段）を操作して、インターネット等の通信網１２を介してサーバ９０へアクセスする。このとき携帯電話４０は、電子カメラ１０と無線通信を行って、電子カメラ１０固有の識別情報や機種名を受信して、サーバ９０に送信するようにしてもよい。また、携帯電話４０が電子カメラ１０と無線通信を実施して電子カメラ１０固有の識別情報や機種名を取得する代わりに、利用者が携帯電話４０の入力手段を操作して、当該識別情報や電子カメラ１０の機種名等を入力するようにしてもよい。
【００７９】
Ｓ１０６にて利用者が、サーバ９０に対して情報取得者としての登録する旨の情報を送信する指示を入力すると、その情報は携帯電話４０から通信網１２を介してサーバ９０に送信され、サーバ９０では利用者を情報取得者として登録する処理を行う。そして情報取得者として登録が終了したことを示すユーザＩＤを、通信網１２を介して利用者の携帯電話４０に送信する。
【００８０】
次のＳ１０８「ユーザＩＤ取得」では、利用者の携帯電話４０が通信網１２を介してサーバ９０からユーザＩＤを取得する。次に利用者は、携帯電話４０の入力手段を操作して、撮影条件を検索する旨の要求をサーバ９０に対して送信する指示を入力する。すると携帯電話４０では、Ｓ１１０「アクセス・撮影情報検索」にて、利用者が指示した撮影条件を検索する旨の要求（画像及び撮影条件の送信要求）をサーバ９０に対して送信する処理を行う。
【００８１】
前記撮影条件を検索する旨の情報（画像及び撮影条件の送信要求）を携帯電話４０から通信網１２を介してサーバ９０が受信すると、サーバ９０はハードディスク等の記録手段のデータベースに記録されている写真家が提供した写真集と撮影条件等の情報を検索して、携帯電話４０に送信する。この検索の結果、多くの写真家の多くの画像が検索された場合には、サーバ９０にて解析して、代表例を幾つか選び出す処理を行うようにしてもよい。
【００８２】
前記サーバ９０が送信した写真家の写真集と撮影条件等の情報は、Ｓ１１２「撮影情報取得」にて携帯電話４０又は電子カメラ１０が取得する。そして、携帯電話４０又は電子カメラ１０では、サーバ９０から受信した写真集の画像を、携帯電話４０等の表示手段に表示する処理を行う。また、近距離の無線通信手段等を介して、受信した画像とその撮影条件とを、携帯電話４０から電子カメラ１０に送信するようにしてもよい。
【００８３】
図７に、電子カメラの表示手段に表示される写真集の画像を示す。
【００８４】
同図に示す例は、写真家が異なる撮影条件で撮影した３枚の画像である。例えば（２）の画像は、適正露出で撮影した風景写真である。（１）に示す画像は、画像の雰囲気を変えるためにわざと露出を１ＥＶ多くして異なる撮影条件で明るく撮影した画像である。また、（３）に示す画像は、画像の雰囲気を変えるためにわざと露出を１ＥＶ少なくして暗く撮影した風景写真である。
【００８５】
利用者が、例えば図７の（１）に示す作風が好みである場合には、電子カメラ１０の入力手段１７４を介して（１）の画像を選択し、その（１）の画像の撮影条件を電子カメラ１０の記録手段（不揮発性メモリ１８２等）に記録する指示を入力する。その入力された情報は、電子カメラ１０にて撮像を実施する際に読み出して利用する。
【００８６】
なお、撮影条件には、撮像レンズ１０２に設けられている絞りの開度、撮像時のシャッター速度、撮像レンズ１０２の撮像画角（ズーム位置等）、マクロ撮影情報、ホワイトバランス、ガンマ補正量、ＥＶ補正量、明るさの補正処理、彩度の補正処理、補助光の発光量、補助光の発光タイミング、フォーカス補正量、ソフトフォーカス補正量、撮影ＥＶ値、又は撮影条件プログラムのシフト等が含まれていてもよい。
【００８７】
Ｓ１１４「情報取得料支払い・情報取得カウント」にて携帯電話４０は、撮影条件等の情報をダウンロードしたことを受けて、情報取得料を支払う旨の情報をサーバ９０に対して送信する処理を行う。前記情報取得料を支払う旨の情報等を受信したサーバ９０は、Ｓ１１６「撮影情報使用回数・一定量達成通知」にて、撮影条件を利用者側の携帯電話４０等が取得したことを示す情報や、撮影情報の使用回数、一定量達成通知等の情報を情報提供者側のパソコン８０に送信して通知する。
【００８８】
このときサーバ９０では、例えば情報取得料に相当する金額を情報取得者側（利用者側）の金融機関の口座から引き落とす処理を実施して、サーバ９０の管理者が情報取得者側（利用者側）から利用料金を受け取ることが可能となっている。
【００８９】
またサーバ９０では、写真集や写真展の宣伝等に関する情報をＷｅｂ上に掲載する掲載料として、写真家側の金融機関の口座から登録料を引き落とす処理を実施して、サーバ９０の管理者は写真家側から登録料金を受け取ることも可能となっている。このようにサーバ９０は、情報提供者からは提供者の宣伝したい内容、撮影条件等の情報を取得してサーバ９０のデータベースに登録し、必要に応じて登録料を徴収することが可能となっている。
【００９０】
上記の基本的な撮影条件の提供方法に加えてサーバ９０では、それぞれの写真家やアーティストの情報提供者が提供した撮影条件が、情報取得者によって利用された回数をカウントし、カウント数がある一定量に達して多くの利用があったと判断した場合には、その後の当該写真家等の登録料金を値下げするようにしてもよい。
【００９１】
また、Ｓ１１０の後のサーバ９０における他の情報提供の方法として、例えばサーバ９０のデータベースに記録されている画像及び撮影条件に対して、ポートレート、風景、夜景、モノクロ、スポーツなど大まかな分類を施しておき、その中に階層的に個々の写真家が推奨する詳細な撮影条件を掲載するようにしてもよい。この場合において利用者側の携帯電話４０から撮影情報の検索要求を取得した場合には、最初に大まかな撮影条件の分類を利用者側に対して提示し、徐徐に深い階層の詳細な情報を提供するようにしてもよい。
【００９２】
図８に、情報提供者が観光地の者である場合のイベントトレース図を示す。
【００９３】
ステップＳ２００とＳ２０２の処理は、図６にて説明したＳ１００及びＳ１０２の処理と同一であるので説明を省略する。
【００９４】
Ｓ２０４「広告宣伝情報・撮影条件登録」にてパソコン８０は、観光地の管理者等の者が入力した当該観光地の広告宣伝情報や、当該観光スポットの雰囲気に合った撮影条件、その観光地での天候、撮影に適した時間帯、観光地に於ける撮影に適した撮影場所等の情報をサーバ９０に送信する処理を行う。
【００９５】
またＳ２０４にて、観光地の広告宣伝情報を通信網１２上（例えばＷｅｂ上）で公開してもらうための登録料を支払う旨の情報を、サーバ９０に対して送信するようにしてもよい。また、Ｓ２０５「無料宿泊券提供」にて、必要に応じて当該観光地の宿泊施設における無料宿泊券を提供する旨の情報を、パソコン８０からサーバ９０に送信するようにしてもよい。
【００９６】
観光地のパソコン８０から広告宣伝情報や撮影条件、無料宿泊券の提供等の情報を受信したサーバ９０では、受信した情報をデータベースに記録する処理を行う。
【００９７】
一方の情報取得者（利用者）側にて実施する処理Ｓ２０６並びにＳ２０８は、図６にて説明したＳ１０６並びにＳ１０８の処理と同一であるので、説明を省略する。
【００９８】
利用者側の携帯電話４０は、Ｓ２１０「アクセス・景勝地撮影情報要求」にて、利用者が指示した景勝地や撮影条件を検索する旨の要求（画像及び撮影条件の送信要求）をサーバ９０に対して送信する処理を行う。利用者側の通信端末が、携帯電話４０や電子化カメラ１０等の携行性に優れた小型の通信端末である場合には、利用者が該当する観光地に到着したときに、サーバ９０がその場でローカルな観光地の情報を提供するようにしてもよい。
【００９９】
前記景勝地撮影条件を要求する旨の情報を、通信網１２を介して携帯電話４０からサーバ９０が受信すると、サーバ９０のデータベースに記録されている広告宣伝情報や撮影条件、無料宿泊券の提供等の情報を検索して、携帯電話４０に送信する。
【０１００】
この検索の結果、多くの景勝地や多くの観光地が検索された場合には、サーバ９０にて解析して、代表例を幾つか選び出す処理を行うようにしてもよい。
【０１０１】
前記サーバ９０が送信した観光地や景勝地の広告宣伝情報や撮影条件、無料宿泊券の提供等の情報は、Ｓ２１２「撮影情報取得」にて携帯電話４０が取得する。そして、携帯電話４０又は電子カメラ１０では、サーバ９０から受信した観光地や景勝地の様子を示す画像を、携帯電話４０又は電子カメラ１０の表示手段に表示する処理を行う。
【０１０２】
携帯電話４０の表示手段に表示された画像の中に、利用者所望の観光地や景勝地、又は作風の好みがある場合には、携帯電話４０の入力手段を介してその画像、観光地、景勝地、作風等を選択して、その撮影条件を電子カメラ１０に送信する指示を入力する。するとその情報は、電子カメラ１０に送信される。
【０１０３】
前記撮影条件を受信した電子カメラ１０の情報処理手段１８０は、受信した撮影条件を不揮発性メモリ１８２等の記録手段に記録する処理を行う。
【０１０４】
Ｓ２１４「情報取得料支払い・情報取得カウント」にて携帯電話４０は、撮影条件等の情報をダウンロードしたことを受けて、情報取得料を支払う旨の情報をサーバ９０に対して送信する処理を行う。
【０１０５】
以下に電子カメラ１０の起動処理から撮像までの処理について説明する。
【０１０６】
先ず利用者は、電源スイッチ１０５を操作して当該電子カメラ１０を起動状態に設定する。このときモード切替スイッチ１０８が撮像側に設定されていると、電子カメラ１０は撮像モードで起動する。
【０１０７】
更に撮像モードでは、モード切替ダイヤル１０７の設定状態に応じたモードで起動する。当該モード切替ダイヤル１０７によれば、撮像環境に応じて自動で撮影条件を設定するオート撮影のモード、利用者が撮影条件を直接設定することが可能なマニュアル撮影のモード、連続撮影のモード、動画撮影のモード等の各種モードに設定することが可能となっている。また、モード切替ダイヤル１０７にはセットアップモードが設けられており、このセットアップモードでは、日付の設定、オートパワーオフの設定、電子カメラ１０が起動する際のスタートアップ画面表示切替や登録等の設定を行うことが可能となっている。
【０１０８】
利用者は、目的の場所において電子カメラ１０を被写体に向けて撮像の準備を行う。撮像する像は、撮像レンズ１０２によって撮像手段の撮像面に結像する。このとき情報処理手段１８０は、不揮発性メモリ１８２等の記録手段に記録されている撮影条件の中から、撮像画角、絞りの開度、マクロ撮影情報、補助光の発光量、フォーカス補正量等の撮影条件を読み出して、それぞれの設定値に撮像レンズ１０２や絞り等を設定する。
【０１０９】
撮像する像は撮像レンズ１０２によって撮像手段１５０の受光面に結像され、結像した被写体像は光電変換されて画像処理手段１５３に出力される。画像処理手段１５３では、この画像信号に対して相関二重サンプリングや増幅、ノイズの低減処理等の画像処理を実施し、Ａ／Ｄ変換器１５４では画像信号をデジタルデータに変換する。
【０１１０】
該デジタルデータに変換した画像データは情報処理手段１８０の指令により信号処理手段１７０に転送され、撮影条件として不揮発性メモリ１８２等の記録手段に記録されているホワイトバランス情報やガンマ補正情報、ＹＣ変換、ズーム情報等に基づいた画像の補正を行う。また、必要に応じて画素数変換処理等の画像処理を施した後に、画像は一時期ＶＲＡＭ等のフレームメモリ１７１に記憶される。
【０１１１】
情報処理手段１８０は、フレームメモリ１７１に記憶されている画像データを逐次Ｄ／Ａ変換器１７２に伝達する指示を行い、ＯＳＤ１６９から発生されるキャラクタ等の情報とともに表示手段１６８に表示している。
【０１１２】
利用者が、入力手段１７４に設けられている撮像指示のためのレリーズボタン１０６を押すと、情報処理手段１８０は被写体を撮像するモードに入る。すると情報処理手段１８０はＡ／Ｄ変換器１５４にてデジタルデータに変換された画像データをＲＡＭ１８４に記録する。
【０１１３】
取得した画像を記録媒体１７７に記録する場合には、情報処理手段１８０は前記ＲＡＭ１８４に記憶されている画像を逐次読み出して信号処理手段１７０に転送して、所定の撮影条件に基づいた画像のホワイトバランスやガンマ補正、ＹＣ変換、ズーム処理、各色の階調変換、画素数変換処理、画像サイズの変換処理等を実施して、圧縮伸張手段１６７に転送する。
【０１１４】
圧縮伸張手段１６７にて所定の条件で圧縮処理が実施された画像データは、情報処理手段１８０の指示に基づいて再び一時期ＲＡＭ１８４のＦＩＬＥ用ワーク領域に一時記憶され、その後に記録用の画像データに変換された後に記録媒体インターフェース１７９に対して出力され、順次記録媒体１７７に記録される。
【０１１５】
図９に、電子カメラ１０がサーバ９０から受信する画像とその撮影条件の例を示す。
【０１１６】
同図に示すように、電子カメラ１０がサーバ９０から受信する情報には、有名写真家Ａが提供する画像とその画像を撮像したカメラの撮影条件等の情報や、新進写真家Ｂが提供する画像とその画像を撮像したカメラの撮影条件等の情報や、写真家Ｃが提供する画像とその画像を撮像したカメラの撮影条件等の情報等が含まれている。また、カメラの情報は複数記載さているので、写真家Ａが撮像したカメラと同一のカメラでない場合であっても、利用者は同様な雰囲気を有する画像を撮像することが可能となっている。
【０１１７】
また電子カメラ１０が、画像とその画像の撮影条件等をサーバ９０から携帯電話４０等の通信機器を介して受信すると、電子カメラ１０の情報処理手段１８０は、例えば図９に示す表示を表示手段１６８に表示して利用者に通知する。
【０１１８】
利用者は、表示手段１６８に表示されている画像とその撮影条件とを閲覧して、希望の画風を電子カメラ１０の入力手段１７４を操作して選択する。利用者が画像又は撮影条件を選択すると、その撮影条件は不揮発性メモリ１８２等の記録手段に記録される。また、利用者が希望の画風の画像を選択した後に、情報処理手段１８０が送受信手段１５７を介してその画像を特定する情報と、必要に応じて当該電子カメラ１０の機種名を、携帯電話４０及び通信網１２を介してサーバ９０に送信し、その後にサーバ９０から該当する撮影条件を受信して、不揮発性メモリ１８２等の記録手段にカスタムデータとして記録するようにしてもよい。
【０１１９】
利用者がサーバ９０から撮影条件を取得するに際して、当該電子カメラ１０と携帯電話４０又はパソコン８０Ａとの間でＵＳＢの通信規格に基づいた通信接続がなされている場合には、例えば電子カメラ１０はストレージモードとして設定され、電子カメラ１０の表示手段１６８には図９に示す表示が表示される。利用者は、表示を見ながら所望の撮影条件又は画像をクリックする。すると、その所望の撮影条件等がクリックされた時に、該当するデータ（撮影条件）を電子カメラ１０にダウンロードする。
【０１２０】
ダウンロードしたデータを活用する方法としては、例えばモード切替ダイヤルに新たなモードとして「カスタム設定オート撮影モード」を設けることが考えられるし、オート撮影モード内でのメニューの一つとして選択することも考えられる。
【０１２１】
図１０に、オート撮影モードにおける撮影条件の選択画面（カスタムメニューの表示例）を示す。
【０１２２】
電子カメラ１０がオート撮影モードに設定されている状態で、ＯＫボタン１１０を操作してメニュー表示を指示し、次のメニューに表示されているカスタム選択の項目を選択すると、電子カメラ１０の表示手段１６８には図１０に示すカスタムメニューが表示される。
【０１２３】
図１０に示すカスタムメニュー内では、すでに登録されている撮影条件のデータを表すカスタム名称（「カスタム設定１」、「カスタム設定２」、「カスタム設定３」…、及び「オート撮影」）が表示されている。利用者は、十字ボタン１１３を操作して表示手段１６８に表示されているカーソルを移動させ、ＯＫボタン１１０やキャンセルボタン１０９を操作して、同図に示す選択画面に表示されている撮影条件の中から所望の撮影条件を選択する。
【０１２４】
キャンセルボタン１０９を操作すると、以前の表示に戻る。また、複数のカスタム設定と同一のレベルで設けられている選択項目の１つは、「オート撮影」のモードそのものとする。利用者は、所望の撮影条件を有するモードを選択して、「設定する」旨のボタンを選択する。すると、電子カメラ１０の情報処理手段１８０は、利用者が入力手段１７４を介して入力設定した撮影条件を不揮発性メモリ１８２等の記録手段から読み出して、各ドライバ等に設定する処理を行う。
【０１２５】
このようにして利用者は、撮像したい場面に遭遇したらカスタム撮像モードに設定し、所望の撮影条件を選択して、その後撮影を実施することでサーバ９０から取得した撮影条件に基づいて撮像を実施することが可能となる。
【０１２６】
この場合電子カメラ１０は、撮像時に自動で撮影条件を検出し、得られた検出データからサーバ取得データを比較し、同じ条件での撮像を行う。また、撮影条件に合わなかった場合には、その旨の警告表示（例えば、「撮影条件が合いません」、「明るすぎます」、等）を行い、撮影は行わない。また、サーバ９０から取得した撮影条件での撮像を実施できない場合であっても、サーバ９０から取得した撮影条件の数値から所定の範囲内に存在する新たな撮影条件の数値を設定し、この新たに設定した撮影条件の数値に基づいて撮像を実施するようしてもよい。
【０１２７】
図１１に、撮影条件としてＥＶ値が推奨されている場合の撮影条件の範囲の図表を示す。
【０１２８】
利用者が電子カメラ１０にて撮像を実施する場合、必ずしもサーバ９０から取得した撮影条件で撮像を実施することが可能であるとは限らない。したがって、サーバ９０から取得した撮影条件と同一に近い撮影条件を得るためには、任意の値を基準として、撮影条件の提供者が「これは自分の作品である」と認められる範囲、あるいは利用者が「同一の作品である」と認める範囲での撮影条件を、１つのデータとして設定する。図１１に示す例では、同じＥＶ値となるように、シャッター速度、絞り値を変化させたパターンのデータも同時に撮影条件として設定できる形にしている。
【０１２９】
【発明の効果】
以上説明したように本発明に係る電子カメラによれば、他の通信機器から画像とその画像の撮影条件を受信して、その撮影条件に基づいて新たな撮影を実施するようにしたので、受信した画像と同様な持ち味を有する撮影を再現することが可能となる。
【０１３０】
また、他の発明によれば、電子カメラが設定可能な撮影条件として、絞りの開度、シャッター速度、画角、ズーム位置、マクロ撮影情報、ホワイトバランス、ガンマ補正量、ＥＶ補正量、明るさ補正量、彩度の補正量、補助光の発光量、補助光の発光タイミング、フォーカス補正量、ソフトフォーカス補正量、撮影ＥＶ値、又は撮影条件プログラムのシフト量のうちの少なくともいずれか１つを含むようにしたので、受信した画像の持ち味をより忠実に再現する撮影を実施することが可能となる。
【０１３１】
また、他の発明によれば、電子カメラが受信した撮影条件の数値から所定の範囲内に存在する新たな撮影条件の数値を設定し、その新たに設定した撮影条件の数値に基づいて撮像を実施するようにしたので、全く同一の撮影条件で撮影を実施することができない環境下であっても、受信した画像と同様な持ち味を有する撮影を自動で再現することが可能となる。
【図面の簡単な説明】
【図１】本発明に係る電子カメラを含む撮影条件提供システムの構成を示す図
【図２】電子カメラの正面図
【図３】電子カメラの背面図
【図４】電子カメラの構成を示すブロック図
【図５】電子カメラの信号処理系ブロックの他の実施の形態を示す図
【図６】情報提供者が写真家である場合のイベントトレース図
【図７】携帯電話の表示手段に表示される写真集の画像を示す図
【図８】情報提供者が観光地の者である場合のイベントトレース図
【図９】電子カメラがサーバから受信する画像とその撮影条件の例を示す図
【図１０】オート撮影モードにおける撮影条件の選択画面（カスタムメニューの表示例）を示す図
【図１１】撮影条件としてＥＶ値が推奨されている場合の撮影条件の範囲を示す図表
【符号の説明】
１０…電子カメラ、１２…通信網、４０…携帯電話、８０、８０Ａ…パソコン、９０…サーバ、１０２…撮像レンズ、１０３…ファインダ、１０５…電源スイッチ、１０６…レリーズボタン、１０７…モード切替ダイヤル、１０８…モード切替スイッチ、１０９…キャンセルボタン、１１０…ＯＫボタン、１１３…十字ボタン、１５０…撮像手段、１５３…画像処理手段、１５６…アンテナ、１５７…送受信手段、１６２…通信コネクタ、１６８…表示手段、１７０…信号処理手段、１７４…入力手段、１７７…記録媒体、１８０…情報処理手段、１８２…不揮発性メモリ、１８４…ＲＡＭ、１９３…発光手段、１９４…発光制御手段、１９９…バス
【図１】
2004120277.tif 000003
【図２】
2004120277.tif 000004
【図３】
2004120277.tif 000005
【図４】
2004120277.tif 000006
【図５】
2004120277.tif 000007
【図６】
2004120277.tif 000008
【図７】
2004120277.tif 000009
【図８】
2004120277.tif 000010
【図９】
2004120277.tif 000011
【図１０】
2004120277.tif 000012
【図１１】
2004120277.tif 000013